(57)【要約】【課題】家庭で安全に使用でき、十分な美肌効果を発揮し得る美容機器の提供を目的としている。【解決手段】本発明の美容機器１は、所定の配列で配置された複数の光源モジュール１０を備え、各光源モジュール１０は、所定の配列で配置され且つ２波長以上の光を発する複数の発光ダイオードを有していることを特徴とする。【選択図】    図４
2005000276.tif 000002
【特許請求の範囲】
【請求項１】
所定波長の光を照射する美容機器であって、所定の配列で配置された複数の光源モジュールを備え、各光源モジュールは、所定の配列で配置され且つ２波長以上の光を発する複数の発光ダイオードを有していることを特徴とする美容機器。
【請求項２】
各発光ダイオードは、周波数が１〜２０Ｈｚのパルス信号により点滅発光することを特徴とする請求項１に記載の美容機器。
【請求項３】
各光源モジュールからの光を散乱させて照射することを特徴とする請求項１または請求項２に記載の美容機器。
【請求項４】
隣り合う発光ダイオードの光の波長が互いに異なることを特徴とする請求項１ないし請求項３のいずれか１項に記載の美容機器。
【請求項５】
前記発光ダイオードは、黄色光、赤色光、近赤外光を発することを特徴とする請求項１ないし請求項４のいずれか１項に記載の美容機器。
【発明の詳細な説明】
【０００１】
【発明の属する技術分野】
本発明は、所定波長の光を肌に照射する美容機器に係わり、特に顔面等の染み取りに効果がある美容機器に関する。
【０００２】
【従来の技術】
美顔等に効果がある美容機器は、従来から様々なタイプものが知られている。
【０００３】
例えば、特許文献１には、レーザ光を皮膚に照射して美肌効果を得ることが開示されている。
【０００４】
また、特許文献２には、ＬＥＤを点滅させて、人眼に照射することが開示されているが、眼内血流循環を向上して眼精疲労を緩和するものである。
【０００５】
【特許文献１】
特開２０００−２１７９３８号公報
【特許文献２】
実開平７−１２１３８号公報
【０００６】
【発明が解決しようとする課題】
しかしながら、従来の美容機器においてはレーザ光を照射するものに限られており、所定の１つの波長のみを使用していたり、あるいは、紫外線を伴うものであった。そのため、美肌効果が十分でなかったり、使用に際して一定の熟練を必要とする（専門性を伴う）場合があった。
【０００７】
本発明は前記事情に着目してなされたものであり、その目的とするところは、家庭や個人等において、安全に使用でき、十分な美肌効果を発揮し得る美容機器を提供することにある。
【０００８】
【課題を解決するための手段】
前記課題を解決するために、請求項１に記載された発明は、所定波長の光を照射する美容機器であって、所定の配列で配置された複数の光源モジュールを備え、各光源モジュールは、所定の配列で配置され且つ２波長以上の光を発する複数の発光ダイオードを有していることを特徴とする。
【０００９】
この請求項１に記載された発明によれば、２波長以上の光により、繊維芽細胞が刺激され、小皺や染みを十分に減らすことが可能になる。また、紫外線を発しないため、使用に際して一定の熟練を必要とせず（専門性を伴わず）、家庭で安全に使用することができる。
【００１０】
また、請求項２に記載された発明は、請求項１に記載された発明において、各発光ダイオードは、周波数が１〜２０Ｈｚのパルス信号により点滅発光することを特徴とする。
【００１１】
この請求項２に記載された発明によれば、請求項１と同様の作用効果が得られるとともに、小皺や染みを効果的に減らすことが可能になる。
【００１２】
また、請求項３に記載された発明は、請求項１または請求項２に記載の発明において、各光源モジュールからの光を散乱させて照射することを特徴とする。
【００１３】
この請求項３に記載された発明によれば、請求項１または請求項２と同様の作用効果が得られるとともに、光を拡散できるため、一度の照射で広範囲にわたって小皺や染みを減らすことが可能になる。
【００１４】
また、請求項４に記載された発明は、請求項１ないし請求項３のいずれか１項に記載の発明において、隣り合う発光ダイオードの光の波長が互いに異なることを特徴とする。
【００１５】
この請求項４に記載された発明によれば、請求項１ないし請求項３のいずれか１項に記載の発明と同様の作用効果が得られるとともに、複数種の光をムラ無く十分に干渉させて照射することができるため、優れた美容効果を得ることができる。
【００１６】
また、請求項５に記載された発明は、請求項１ないし請求項４のいずれか１項に記載の発明において、前記発光ダイオードは、黄色光、赤色光、近赤外光を発することを特徴とする。
【００１７】
この請求項５に記載された発明によれば、請求項１ないし請求項４のいずれか１項に記載の発明と同様の作用効果が得られるとともに、浸透性が良好であり、黄色光、赤色光、近赤外光によって神経ブロックが刺激され、染みや小ジワを効果的に減らすことができる。
【００１８】
【発明の実施の形態】
以下、図面を参照しつつ本発明の実施形態について説明する。
【００１９】
図１〜図３には本発明の一実施形態に係る美容機器１が示されている。図示のように、本実施形態の美容機器１は、複数のＬＥＤ（発光ダイオード）及びこれらのＬＥＤを発光させる周知の電気回路を組み込んだ装置本体２と、装置本体２に着脱自在に取り付けられ且つ前記ＬＥＤからの光を外部に向けて透光させる透光板４を有するカバー３とを備えている。装置本体２は、カバ−３が取り付けられる比較的大径の頭部１１と、頭部１１からくびれ部１２を介して細長く延びるグリップ部１３とから成り、手で握り易いように形成されている。また、装置本体２は、所定の長さＬ（例えば１４２ｍｍ）と、所定の幅Ｗ（例えば４５ｍｍ）と、所定の厚さＴ（例えば３２ｍｍ）とを有している。
【００２０】
また、装置本体２は、前記電気回路の基板が固定された本体ケース２ａと、カバー３が取り付けられるカバーケース２ｂとから成る。これらのケース２ａ，２ｂは、長時間握っていても疲れないように軽量な例えばプラスチックによって形成されており、互いに向き合うように着脱係合することにより前記電気回路およびＬＥＤを収容する閉じられた空間を形成する。
【００２１】
また、カバーケース２ｂには、例えばカバー３の下側位置に、ＬＥＤの発光駆動をＯＮ／ＯＦＦするスイッチ５が設けられている。また、本体ケース２ａの背面には、例えばハート形の鏡５と接続端子６とが設置されている。接続端子６には、前記電気回路に電力を供給するためのアダプタのコネクタが電気的に接続される。
【００２２】
カバー３に設けられた透光板４は、ＬＥＤから発せられる光を散乱させるべく、表面に複雑な凹凸を有している。また、カバー３には環状のテーパ面３ａによって凹部９が形成されており、この凹部９内に透光板４が嵌着されている。この場合、テーパ面３ａは、ＬＥＤから透光板４を介して発せられる散乱光を所定の広がりをもって所定の方向に向けるのに役立つ。尚、透光板４は、所定の方向の光のみを透過する偏光板であってもよい。
【００２３】
装置本体２からカバー３を取り外した状態が図４に示されている。図示のように、装置本体２のカバーケース２ｂには、カバー３が着脱自在に取り付けられる開口１６が形成されており、複数のＬＥＤを有する複数の光源モジュール１０が開口１６と対向するように位置されている。本実施形態では、４つの光源モジュール１０が開口１６に対向して配置されている。すなわち、カバー３を取り外した図４の状態では、４つの光源モジュール１０が開口１６を通じて露出するようになっている。
【００２４】
４つの光源モジュール１０は、円形を成しており、前記電気回路の各素子が実装される基板１４上に所定の配列で搭載されている。具体的に、本実施形態において、光源モジュール１０は、それぞれが菱形の頂点を形作るように左右上下に１つずつ配置されている。なお、開口１６を通じて前記電気回路素子が露出しないように、光源モジュール１０の発光表面以外は、カバー部材１５によってほぼ覆われている。
【００２５】
図５に示されるように、各光源モジュール１０は複数のＬＥＤを有している。本実施形態では、２波長以上の光を発する合計１０個のＬＥＤ２０ａ〜２０ｄが各光源モジュール１０に所定の配列で配置されている。具体的には、各光源モジュール１０は、波長が６４４ｎｍの赤色光を発する２つの第１のＬＥＤ２０ａと、波長が５７５ｎｍの黄色光を発する２つの第２のＬＥＤ２０ｂと、波長が９４０ｎｍの近赤外光を発する３つの第３のＬＥＤ２０ｃと、波長が８８０ｎｍの近赤外光を発する３つの第４のＬＥＤ２０ｄとを有している。
【００２６】
ここで、光源モジュール１０の中心を通る線分と略平行な３つの境界線Ｌ１，Ｌ２，Ｌ３により光源モジュール１０の円形領域を４つの領域Ａ，Ｂ，Ｃ，Ｄに区切った場合を想定すると、両側の第１の領域Ａおよび第４の領域Ｄには、第１のＬＥＤ２０ａおよび第２のＬＥＤ２０ｂが境界線Ｌ１，Ｌ２，Ｌ３と略平行に一列に並んで配置されている。この場合、第１の領域Ａと第４の領域Ｄとでは、第１のＬＥＤ２０ａおよび第２のＬＥＤ２０ｂの並ぶ順番が逆になっている。一方、第１および第２の領域Ａ，Ｄによって挟まれた第２および第３の領域Ｂ，Ｃには、第３のＬＥＤ２０ｃおよび第４のＬＥＤ２０ｄが境界線Ｌ１，Ｌ２，Ｌ３と略平行に一列に並んで配置されている。この場合、第２の領域Ｂでは、２つの第３のＬＥＤ２０ｃ，２０ｃ間に１つの第４のＬＥＤ２０ｄが挟まれている。逆に、第３の領域Ｃでは、２つの第４のＬＥＤ２０ｄ，２０ｄ間に１つの第３のＬＥＤ２０ｃが挟まれている。すなわち、光源モジュール１０の中央領域Ｂ，Ｃでは、隣り合うＬＥＤ同士が同じＬＥＤとならないように第３のＬＥＤ２０ｃおよび第４のＬＥＤ２０ｄが千鳥状に配置され、光源モジュール１０の両側の領域Ａ，Ｄでは、第１のＬＥＤ２０ａおよび第２のＬＥＤ２０ｂが互いに並ぶ順番を逆にして一列に配置されている。つまり、光源モジュール１０の全領域において、隣り合うＬＥＤ同士が異なるＬＥＤとなるような配列形態を成している。
【００２７】
また、各ＬＥＤ２０ａ〜２０ｄは、１〜２０Ｈｚの周波数のパルス信号により、同時に若しくは個別に（ランダムに或いは所定のタイミングで）点滅発光するようになっている。この場合、各ＬＥＤ２０ａ〜２０ｄは、図６に示されるような形態で互いに電気的に接続されている。すなわち、第１および第２のＬＥＤ２０ａ，２０ｂが直列に接続され、３つの第３のＬＥＤ２０ｃ同士が直列に接続され、３つの第４のＬＥＤ２０ｄ同士が直列に接続されるとともに、第１および第２のＬＥＤ２０ａ，２０ｂと、第３のＬＥＤ２０ｃと、第４のＬＥＤ２０ｄとが互いに並列に接続されている。
【００２８】
以上説明したように、本実施形態の美容機器１は、所定の配列で配置された複数の光源モジュール１０を備え、各光源モジュール１０は、所定の配列で配置され且つ２波長以上の光を発する複数の発光ダイオード２０ａ〜２０ｄを有している。このような構成によれば、２波長以上の光により、繊維芽細胞が刺激され、小皺や染みを十分に減らすことが可能になる。また、紫外線を発しないため、使用に際して一定の熟練を必要とせず（専門性を伴わず）、家庭で安全に使用することができる。
【００２９】
本実施の形態にかかる美容機器１を１日５分間、１週間連続して、被験者の肌に当てる実験を、約１０人の被験者について行い。その結果について、アンケート調査をおこなった。その結果、約半数の５人について、被験者の肌の染みが無くなったり、染みや皺が減ったというアンケート結果を得た。更に、本実施の形態にかかる美容機器１を使用後には、肌に張りや艶がでてきたというアンケートもあった。
【００３０】
特に、本実施形態の美容機器１において、各発光ダイオード２０ａ〜２０ｄは、周波数が１〜２０Ｈｚのパルス信号により点滅発光する場合には、小皺や染みを効果的に減らすことが可能であった。
【００３１】
また、本実施形態の美容機器１は、各光源モジュール１０からの光を散乱させて照射することを特徴とする。このような構成によれば、光を拡散できるため、一度の照射で広範囲にわたって小皺や染みを減らすことが可能になる。
【００３２】
また、本実施形態の美容機器１は、隣り合う発光ダイオードの光の波長が互いに異なる。そのため、複数種の光をムラ無く十分に干渉させて照射することができ、優れた美容効果を得ることができる。
【００３３】
また、本実施形態の美容機器１において、発光ダイオード２０ａ〜２０ｄは、黄色光、赤色光、近赤外光を発する。黄色光、赤色光、近赤外光は、浸透性が良好であり、神経ブロックを刺激するため、染みや小ジワを効果的に減らすことができる。
【００３４】
なお、本発明は、前述した実施形態に限定されず、その要旨を逸脱しない範囲で種々変形実施できることは言うまでもない。例えば、ＬＥＤの配列形態や光源モジュールの配列形態は前述した実施形態のそれに限定されない。図７に示されるように、光源モジュール１０は、正方形の頂点を形作るように円形の基板１４Ａ上に配列されていても良い。また、ＬＥＤは、光源モジュール１０の全領域において隣り合うＬＥＤ同士が異なるＬＥＤとなるような配列であれば、どのような配列形態であっても良い。
【００３５】
【発明の効果】
請求項１に記載された発明によれば、２波長以上の光により、繊維芽細胞が刺激され、小皺や染みを十分に減らすことが可能になる。また、紫外線を発しないため、使用に際して一定の熟練を必要とせず（専門性を伴わず）、家庭で安全に使用することができる。
【００３６】
請求項２に記載された発明によれば、請求項１と同様の作用効果が得られるとともに、小皺や染みを効果的に減らすことが可能になる。
【００３７】
請求項３に記載された発明によれば、請求項１または請求項２と同様の作用効果が得られるとともに、光を拡散できるため、一度の照射で広範囲にわたって小皺や染みを減らすことが可能になる。
【００３８】
請求項４に記載された発明によれば、請求項１ないし請求項３のいずれか１項に記載の発明と同様の作用効果が得られるとともに、複数種の光をムラ無く十分に干渉させて照射することができるため、優れた美容効果を得ることができる。
【００３９】
請求項５に記載された発明によれば、請求項１ないし請求項４のいずれか１項に記載の発明と同様の作用効果が得られるとともに、浸透性が良好であり、黄色光、赤色光、近赤外光によって神経ブロックが刺激され、染みや小ジワを効果的に減らすことができる。
【図面の簡単な説明】
【図１】本発明の一実施形態に係る美容機器の正面図である。
【図２】図１の美容機器の側面図である。
【図３】図１の美容機器の背面図である。
【図４】図１の美容機器からカバーを取り外した状態を示す正面図である。
【図５】光源モジュールにおけるＬＥＤの配列状態を示す概略図である。
【図６】光源モジュールにおけるＬＥＤの電気的な接続形態を示す結線図である。
【図７】光源モジュールの他の配列形態を示す概略図である。
【符号の説明】
１      美容機器
１０    光源モジュール
２０ａ，２０ｂ，２０ｃ，２０ｄ    発光ダイオード
【図１】
2005000276.tif 000003
【図２】
2005000276.tif 000004
【図３】
2005000276.tif 000005
【図４】
2005000276.tif 000006
【図５】
2005000276.tif 000007
【図６】
2005000276.tif 000008
【図７】
2005000276.tif 000009